【事件の表示】
　特願２０１９−　５４０２２「音声／ビデオ記録通信装置からのビデオ映像のシェアリング」拒絶査定不服審判事件〔令和　１年１０月１０日出願公開，特開２０１９−１７６４６９，請求項の数（１４）〕について，次のとおり審決する。
【結　論】
　原査定を取り消す。
　本願の発明は，特許すべきものとする。
【理　由】
　
第１　手続の経緯
　本願は，２０１７年２月１３日（パリ条約による優先権主張外国庁受理２０１６年２月２６日　米国，２０１６年８月１８日　米国）を国際出願日とする特願２０１８−５４４８５６号の一部を平成３１年３月２２日に新たな特許出願としたものであって，令和２年１月１４日付けで拒絶理由が通知され，令和２年３月１９日に手続補正がなされ，令和２年５月２７日付けで拒絶査定がされ，令和２年９月３０日に拒絶査定不服審判が請求されると同時に手続補正がされたものである。
第２　補正の却下の決定
［補正の却下の決定の結論］
　令和２年９月３０日の手続補正（以下，「本件補正」という。）を却下する。
［理由］
１．本件補正の内容
　本件補正は，特許請求の範囲を
「【請求項１】
　第１の音声／ビデオ記録通信（Ａ／Ｖ）装置，前記第１のＡ／Ｖ装置と関連付けられた第１のクライアント装置，複数の他のＡ／Ｖ装置，ならびにプロセッサ及びコードを記憶するメモリを有するネットワーク装置の間で通信するためのシステムであって，
　前記コードが前記プロセッサによって実行されると，前記ネットワーク装置は，
　　前記第１のＡ／Ｖ装置から，前記第１のＡ／Ｖ装置のカメラによって撮影によって取り込まれた画像の第１ビデオ信号を受信し，
　　前記第１のクライアント装置から，前記第１のＡ／Ｖ装置のカメラによって取り込まれた画像が，前記複数の他のＡ／Ｖ装置と関連付けられた１人以上のユーザーとシェアされることを示すシェア信号を受信し，
　　前記第１のクライアント装置から前記シェア信号を受信することに応えて，前記複数の他のＡ／Ｖ装置の中から，前記第１のＡ／Ｖ装置が第２のＡ／Ｖ装置から所定距離内にあると判断し，
　　前記第２のＡ／Ｖ装置と関連付けられた第２のクライアント装置にシェア通知信号を送信する，
　システム。
　　【請求項２】
　前記メモリがさらに，前記プロセッサによって実行されると，前記シェア通知信号に応えて前記第２のクライアント装置からプレイバック要求信号を受信するためのコードを記憶する，請求項１に記載のシステム。
　　【請求項３】
　前記メモリがさらに，前記プロセッサによって実行されると，前記プレイバック要求信号に応えて前記第２のクライアント装置に，前記第１のＡ／Ｖ装置の前記カメラによって取り込まれる前記画像を含んだ第２ビデオ信号を送信するためのコードを記憶する，請求項２に記載のシステム。
　　【請求項４】
　前記第１のクライアント装置からの前記シェア信号が，前記第１のＡ／Ｖ装置の前記カメラによって取り込まれる前記画像を説明するテキストを含む，請求項３に記載のシステム。
　　【請求項５】
　前記メモリがさらに，前記プロセッサによって実行されると，前記第２のクライアント装置に，前記シェア通知信号とともに前記テキストを送信するためのコードを記憶する，請求項４に記載のシステム。
　　【請求項６】
　前記所定距離が，前記第２のＡ／Ｖ装置のユーザーによって構成可能である，請求項１に記載のシステム。
　　【請求項７】
　前記第１のＡ／Ｖ装置及び前記第２のＡ／Ｖ装置のうちの少なくとも１つが音声／ビデオ通信ドアベルである，請求項１に記載のシステム。
　　【請求項８】
　前記第１のクライアント装置及び前記第２のクライアント装置のうちの少なくとも１つがスマートフォンである，請求項１に記載のシステム。
　　【請求項９】
　前記ネットワーク装置がサーバである，請求項１に記載のシステム。
　　【請求項１０】
　前記ネットワーク装置が，１つ以上のネットワークサービスを備える，請求項１に記載のシステム。
　　【請求項１１】
　第１の音声／ビデオ記録通信（Ａ／Ｖ）装置，前記第１のＡ／Ｖ装置と関連付けられた第１のクライアント装置，複数の他のＡ／Ｖ装置，ならびにネットワーク装置の間で通信するための方法であって，
　前記ネットワーク装置が，前記第１のＡ／Ｖ装置から，前記第１のＡ／Ｖ装置のカメラによって撮影によって取り込まれた画像を受信することと，
　前記ネットワーク装置が，前記第１のクライアント装置から，前記第１のＡ／Ｖ装置のカメラによって取り込まれる画像が，前記複数の他のＡ／Ｖ装置と関連付けられた１人以上のユーザーとシェアするための命令を受信することと，
　前記第１のクライアント装置から前記命令を受信することに応えて，前記ネットワーク装置が，前記複数の他のＡ／Ｖ装置の中から，前記第１のＡ／Ｖ装置が第２のＡ／Ｖ装置から所定距離内にあると判断することと，
　前記ネットワーク装置が，前記第２のＡ／Ｖ装置と関連付けられた第２のクライアント装置にシェア通知信号を送信することと，
を含む，方法。
　　【請求項１２】
　さらに，前記ネットワーク装置が，前記シェア通知信号に応えて前記第２のクライアント装置からプレイバック要求信号を受信することを含む，請求項１１に記載の方法。
　　【請求項１３】
　さらに，前記ネットワーク装置が，前記プレイバック要求信号に応えて前記第２のクライアント装置に，前記第１のＡ／Ｖ装置の前記カメラによって取り込まれる前記画像を送信することを含む，請求項１２に記載の方法。
　　【請求項１４】
　前記ネットワーク装置が，前記第１のクライアント装置から，前記第１のＡ／Ｖ装置によって取り込まれる前記画像を説明するテキストを受信する，請求項１３に記載の方法。
　　【請求項１５】
　さらに，前記ネットワーク装置が，前記第２のクライアント装置に前記テキストを送信することを含む，請求項１４に記載の方法。
　　【請求項１６】
　前記所定距離が，前記第２のＡ／Ｖ装置のユーザーによって構成可能である，請求項１１に記載の方法。
　　【請求項１７】
　前記第１のＡ／Ｖ装置及び前記第２のＡ／Ｖ装置のうちの少なくとも１つが音声／ビデオ通信ドアベルである，請求項１１に記載の方法。
　　【請求項１８】
　前記第１のクライアント装置及び前記第２のクライアント装置のうちの少なくとも１つがスマートフォンである，請求項１１に記載の方法。
　　【請求項１９】
　前記ネットワーク装置がサーバである，請求項１１に記載の方法。
　　【請求項２０】
　前記ネットワーク装置が，１つ以上のネットワークサービスを備える，請求項１１に記載の方法。」（以下，「補正前発明」という。）
　から
「【請求項１】
　一以上のプロセッサ及び命令を記憶する一以上のメモリを有するシステムであって，
　前記命令が前記プロセッサによって実行されると，前記プロセッサ装置は，
　　第１の音声／ビデオ記録通信（Ａ／Ｖ）装置から，前記第１のＡ／Ｖ装置のカメラによって撮影によって取り込まれた画像のビデオデータを受信し，
　　第１のクライアント装置から，前記第１のＡ／Ｖ装置のカメラによって取り込まれたビデオデータが，１人以上のユーザーとシェアできることを示すシェア信号を受信し，
　　前記第１のクライアント装置から前記シェア信号を受信することに応えて，前記第１のＡ／Ｖ装置が第２のＡ／Ｖ装置が含まれる領域内にあると判断し，
　　前記第２のＡ／Ｖ装置が第２のクライアント装置に関連していることを判断し，
　　前記第２のＡ／Ｖ装置が前記第２のクライアント装置に関連している判断に基づいて，前記第２のクライアント装置にシェア通知信号を送信する，
　システム。
　　【請求項２】
　前記メモリがさらに，前記プロセッサによって実行されると，前記第２のクライアント装置からプレイバック要求信号を受信する動作を実行させる命令を記憶する，請求項１に記載のシステム。
　　【請求項３】
　前記メモリがさらに，前記プロセッサによって実行されると，前記プレイバック要求信号に応えて前記第２のクライアント装置に，前記ビデオデータを送信する動作を実行させる命令を記憶する，請求項２に記載のシステム。
　　【請求項４】
　前記第１のクライアント装置からの前記シェア信号が，前記第１のＡ／Ｖ装置の前記カメラによって取り込まれる前記画像を説明するテキストを表示する，請求項３に記載のシステム。
　　【請求項５】
　前記メモリがさらに，前記プロセッサによって実行されると，前記第２のクライアント装置に，前記テキストを送信する動作を実行させる命令を記憶する，請求項４に記載のシステム。
　　【請求項６】
　前記メモリがさらに，前記プロセッサによって実行されると，前記第２のＡ／Ｖ装置の領域を表すデータを受信する動作を実行させる命令を記憶する，請求項１に記載のシステム。
　　【請求項７】
　前記第１のＡ／Ｖ装置が音声／ビデオ通信ドアベルである，請求項１に記載のシステム。
　　【請求項８】
　ネットワーク装置が，第１のＡ／Ｖ装置から，前記第１のＡ／Ｖ装置のカメラによって撮影によって取り込まれた画像を表示するビデオデータを受信することと，
　前記ネットワーク装置が，第１のクライアント装置から，ビデオデータが，１人以上のユーザーとシェアすることができるシェア信号を受信することと，
　前記第１のクライアント装置から前記シェア信号を受信することに応えて，前記ネットワーク装置が，前記第１のＡ／Ｖ装置が第２のＡ／Ｖ装置を含む領域内にあると判断することと，
　前記ネットワーク装置が，前記第２のＡ／Ｖ装置と関連付けられた第２のクライアント装置を判断することと，
　前記第２のＡ／Ｖ装置が前記第２のクライアント装置に関連している判断に基づいて，前記ネットワーク装置が，前記第２のクライアント装置にシェア通知信号を送信することと，
を含む，方法。
　　【請求項９】
　さらに，前記ネットワーク装置が，前記第２のクライアント装置からプレイバック要求信号を受信することを含む，請求項８に記載の方法。
　　【請求項１０】
　さらに，前記ネットワーク装置が，前記プレイバック要求信号に応えて前記第２のクライアント装置に，前記ビデオデータを送信することを含む，請求項９に記載の方法。
　　【請求項１１】
　前記ネットワーク装置が，前記第１のクライアント装置から，前記画像を説明するテキストを受信する，請求項１０に記載の方法。
　　【請求項１２】
　さらに，前記ネットワーク装置が，前記第２のクライアント装置に前記テキストを表すデータを送信することを含む，請求項１１に記載の方法。
　　【請求項１３】
　前記第２のＡ／Ｖ装置から前記領域を表すデータを受信する，請求項８に記載の方法。
　　【請求項１４】
　前記第１のＡ／Ｖ装置が音声／ビデオ通信ドアベルである，請求項８に記載の方法。」（以下，「補正後発明」という。）
　へ補正するものである。
２．本件補正の適否の判断
　本件補正は，請求項１に係る発明の対象となるシステムについて，補正前発明の「第１の音声／ビデオ記録通信（Ａ／Ｖ）装置，前記第１のＡ／Ｖ装置と関連付けられた第１のクライアント装置，複数の他のＡ／Ｖ装置，ならびにプロセッサ及びコードを記憶するメモリを有するネットワーク装置の間で通信するためのシステム」を，補正後発明の「一以上のプロセッサ及び命令を記憶する一以上のメモリを有するシステム」とするものであって，「通信するためのシステム」からプロセッサ及びメモリを有する単体のシステムに変更するものであるから，特許請求の範囲の減縮には該当しない。
　また，請求項の削除でなく，誤記の訂正でなく，明瞭でない記載の釈明でないことも明らかであるから，特許法１７条の２第５項のいずれの目的にも該当しない。
３．むすび
　したがって，本件補正は，特許法第１７条の２第５項の規定に違反するので，同法第１５９条第１項において読み替えて準用する同法第５３条第１項の規定により却下すべきものである。
第３　本願発明
　令和２年９月３０日の手続補正は上記のとおり却下されたので，本願の請求項１−２０に係る発明は，令和２年３月１９日の手続補正により補正された特許請求の範囲の請求項１−２０に記載された事項により特定されるとおりのもの（補正前発明）である。
　そして，本願については，原査定の拒絶理由を検討してもその理由によって拒絶すべきものとすることはできない。
　また，他に本願を拒絶すべき理由を発見しない。
　よって，結論のとおり審決する。